(57)【要約】【課題】ペダルの回転半径が選択でき、条件に応じて最適な状況での使用を可能とする身体鍛練機の提供。【解決手段】モータと、該モータの回転軸に減速機を介して連動するクランク軸と、一端が前記クランク軸に固着されかつ該クランク軸から互いに逆向きにのびるとともに他端にペダルを枢着した左右のクランクとを含み、前記モータを駆動することによりペダルにのせた手又は足を運動させる身体鍛練機であって、前記左右のクランクは、クランク軸からペダルまでのクランク長さを調節自在とした。【選択図】  図１
2004166721.tif 000002
【特許請求の範囲】
【請求項１】
モータと、該モータの回転軸に減速機を介して連動するクランク軸と、一端が前記クランク軸に固着されかつ該クランク軸から互いに逆向きにのびるとともに他端にペダルを枢着した左右のクランクとを含み、前記モータを駆動することによりペダルにのせた手又は足を運動させる身体鍛練機であって、前記左右のクランクは、クランク軸からペダルまでのクランク長さを調節自在としたことを特徴とする身体鍛練機。
【請求項２】
前記左右のクランクは、前記クランク軸に固着されかつクランク長さ方向にのびる取付溝を有する基部と、前記ペダルが枢着されかつ前記取付溝にスライド可能に挿入されるスライド部と、前記基部と前記スライド部とを固定する固定具９とからなることを特徴とする請求項１記載の身体鍛練機。
【請求項３】
前記モータ、前記減速機及び前記クランク軸は、床面に載置される基台に内蔵され、かつ該基台の両側からはみ出すクランク軸に左右のクランクが取り付けられるとともに、椅子又は床面に着座した使用者に一端が把持されかつ他端が前記基台に取り付けられた引き戻し用の引き具を具えることを特徴とする請求項１又は２に記載の記載の身体鍛練機。
【発明の詳細な説明】
【０００１】
【発明の属する技術分野】
本発明は、脚又は腕でペダルを回転することにより、主に屋内で筋力及び心肺機能のトレーニングやストレッチ等を行う身体鍛練機に関する。
【０００２】
【従来の技術】
近年、運動不足を補い、屋内でトレーニングやストレッチングを手軽に行う要求が高まり、モータと連動したペダルを回転して使用する身体鍛練機が実用化されている。又身体鍛練機は、トレーニングジムや一般家庭内で体形や年齢の異なる使用者に汎用されることが必要となる。
【０００３】
そのため、モーターに連動するペダルとハンドル、及び上下位置調整自在なサドルを具え、使用者の体形に応じてサドル高さを変える構造が提案されている（例えば、特許文献１参照。）。
【０００４】
【特許文献１】
特開平７−３０８４０５号公報（段落「００８８」）
【０００５】
【発明が解決しようとする課題】
しかしながら、トレーニング効果は脚や腕の動作範囲に左右され、特に、リハリビ用途では、その治療目的と使用者の体形に応じた動作範囲が求められ、サドル高さの調整では限界がある。
【０００６】
また、回転負荷をかけ筋力、心肺機能を高めるトレーニング効果は、回転トルクの大きさに加え、その回転半径に大きく影響されるので、様々なペダル回転半径によるトレーニングが要求される。
【０００７】
本発明は、以上のような問題点に鑑み案出なされたもので、ペダルの回転半径が選択でき、条件に応じて最適な状況での使用を可能とする身体鍛練機を提供することを目的としている。
【０００８】
【課題を解決するための手段】
本発明のうち請求項１記載の発明は、モータと、該モータの回転軸に減速機を介して連動するクランク軸と、一端が前記クランク軸に固着されかつ該クランク軸から互いに逆向きにのびるとともに他端にペダルを枢着した左右のクランクとを含み、前記モータを駆動することによりペダルにのせた手又は足を運動させる身体運動機であって、前記左右のクランクは、クランク軸からペダルまでのクランク長さを調節自在としたことを特徴としている。
【０００９】
前記左右のクランクは、前記クランク軸に固着されかつクランク長さ方向にのびる取付溝を有する基部と、前記ペダルが枢着されかつ前記取付溝にスライド可能に挿入されるスライド部と、前記基部と前記スライド部とを固定する固定具とからなることを特徴としている。
【００１０】
また請求項３記載の発明は、前記モータ、前記減速機及び前記クランク軸は、床面に載置される基台に内蔵され、かつ該基台の両側からはみ出すクランク軸に左右のクランクが取り付けられるとともに、椅子又は床面に着座した使用者に一端が把持されかつ他端が前記基台に取り付けられた引き戻し用の引き具を具えることを特徴としている。
【００１１】
【発明の実施の形態】
以下本発明の実施の一形態を、椅子１２又は床面Ｆに着座して使用する身体鍛練機を例にとり図面に基づき説明する。
【００１２】
図１〜３において、本発明の身体鍛練機は、基台１１と、この基台１１に内臓された駆動ユニット３７、該駆動ユニット３７に連動するクランク軸３を具えるとともに、一端が前記クランク軸３に固着されかつ他端にペダル４を枢着した左右のクランク５を有する。
【００１３】
前記基台１１は、フレーム３０と、容器状のカバー３１を具えるとともに、前記フレーム３０は基枠３２と、該基枠３２の一端で下方に伸びる内側に湾曲した下枠３４と、前記基枠３２と下枠３４を連結する縦枠３５を具備する。また、前記下枠３４下部に、身体鍛練機を床面Ｆに安定して載置するための脚３６を取付ける。
【００１４】
前記駆動ユニット３７は、シェルタ３８と、このシェルタ３８に内臓されるモータ１、及び減速機２を具え、前記基枠３２に固定される。前記モータ１は、ＤＣ１００Ｖの直流モータを使用するが、交流モータ、誘導モーター等も採用できる。
【００１５】
また前記減速機２は、モータ１の回転軸４に連結した円筒ウォーム３９と、クランク軸３に連結したウォームホイール４０を具えたギア比１：３０〜６０のウォーム減速機を使用するが、この他遊星減速機、かさ歯車減速機等各種減速機も採用できる。
【００１６】
前記クランク軸３は、前記駆動ユニット３７に具えた軸受け（図示せず）で回転自在に枢支され、前記減速機２を介して前記モータ１の回転軸４に連動し、かつその両端は基台１１の両側からはみだす。
【００１７】
前記左右のクランク５は、図４に示すように、基部７と、スライド部８と、固定具９とからなる。前記基部７は、一端に設けた矩形状の連結孔４１と、クランク長さ方向にのびる取付溝６を具える。また前記スライド部８は、頭部４３と腕部４４とからなり、基部７の取付溝６にスライド可能に挿入された腕部４４の螺孔４５に、前記取付溝６を貫挿した固定具９（小ねじ）を螺装して、基部７とスライド部８を固定する。
【００１８】
また、本態様では、前記基部７の取付溝６に挿入したスライド部８をスライドすることにより、クランク軸３からペダル４までのクランク長さＬ  を調整自在とし、図５（Ａ）（Ｂ）に示すように、短いクランク長さＬ  １、長いクランク長さＬ  ２を選択できる。またこのクランク長さＬ  の調整範囲は、６０〜２００ｍｍ、好ましくは９０〜１１０ｍｍとする。
【００１９】
図２、５に示すように、前記左右のクランク５は、その一端の連結孔４１を前記クランク軸３の端部に密に嵌合するとともにボルト４９で固着されかつ該クランク軸３から互いに逆向きにのびるとともに、他端の頭部４３にペダル４を枢着する。
【００２０】
しかして、図６に示すように、椅子１２に着座した使用者Ｕが、モータ１に駆動され回転するペダル４に足を載せトレーニングする場合は、体形や年齢により異なる脚の可動範囲に適合したクランク長さに調整することにより、最も高い鍛練効果が得られる。またペダル４に手を載せ腕をトレーニングする場合も同様の効果が得られる。
【００２１】
特にリハリビ目的でトレーニングする場合は、その治療目的と使用者Ｕの体形に応じた脚や腕の動作に適合したクランク長さに調整することにより、最も高い治療効果が得られる。
【００２２】
さらに筋力、心肺機能を高めるため、低速回転時、又はモータ１停止時に、減速機２の抵抗を負荷としてペダル４を回動するトレーニングの場合、クランク長さを調整することにより負荷トルクを増減するとともに負荷を与える筋肉の部位を選択できる等高い鍛練効果が得られる。
【００２３】
図３、６に示すように、本形態では、前記基台１１に取付けた受け部４６と、該受け部４６に一端が固定される紐状体４７からなる引き具１３を具える。前記受け部４６は、基台１１のフレーム３０に固定され、その上部がカバー３１から外部へ突出する。前記紐状体４７は、ロープ、プラスチック棒などを用いる。
【００２４】
しかして、図６に示すように、椅子１２に着座した使用者Ｕが引き具１３を把持して、ペダル４への操作による身体鍛練機の使用者Ｕからの離間を防ぎ、安定した状態でのトレーニングを維持しうる。また、前記引き具１３の引き戻し操作で、同時に腹筋、背筋等も鍛練しえる。
【００２５】
図３に示すように、本形態では、モータ１を内臓した駆動ユニット３７に安全装置４８を具備し、クランク軸３への過負荷に対し自動で電源を切断して、安全を確保する。
【００２６】
なお、本形態においては、クランク長さ方向にのびる取付溝とスライド部を具えたクランク５を例示しているが、相互にスライド自在に嵌合する筒体と軸体で長さ調節をおこなう構成も利用できる。
【００２７】
また、本形態においては、使用者が椅子１２又は床面Ｆに着座して使用する身体鍛練機を例示したが、基台１１の上方に昇降自在なサドルを一体に取付けるなどの変形も可能である。
【００２８】
【発明の効果】
以上説明したように、本発明では、左右のクランクは、クランク軸からペダルまでのクランク長さが調節自在であるため、体形や年齢により異なる脚や腕の可動範囲に適合したクランク長さに調整することにより、最も高い鍛練効果およびリハリビにおける治療効果が得られる。
【００２９】
また請求項２記載の発明では、取付溝を有する基部と、取付溝にスライド可能に挿入されるスライド部と、双方を固定する固定具９とからなるクランクの採用により、クランク長さ調節を簡単確実になしえる。
【００３０】
また請求項３記載の発明では、椅子又は床面に着座した使用者に一端が把持されかつ他端が前記基台に取り付けられた引き戻し用の引き具を具えることにより、安定した状態でのトレーニングを維持しうる。
【図面の簡単な説明】
【図１】本発明の一実施の形態を例示する斜視図である。
【図２】その正面図である。
【図３】その断面図である。
【図４】クランクを例示する分解斜視図である。
【図５】（Ａ）、（Ｂ）はその長さの異なる状態の断面図である。
【図６】使用状態を示す斜視図である。
【符号の説明】
１    モータ
２    減速機
３    クランク軸
４    回転軸
５    クランク
６    取付溝
７    基部
８    スライド部
９    固定具
１１    基台
１２    椅子
１３    引き具
Ｆ      床面
Ｕ      使用者
【図１】
2004166721.tif 000003
【図２】
2004166721.tif 000004
【図３】
2004166721.tif 000005
【図４】
2004166721.tif 000006
【図５】
2004166721.tif 000007
【図６】
2004166721.tif 000008